(57)【要約】【課題】  複数の人物を被写体とした撮影時に被写体の全体に焦点が合った画像を確実に取得する機能を低コストで実現する。【解決手段】  撮像手段（２０）は、撮影光学系（１２）を介して被写体を撮像して画像を生成する。人物検出手段（２４）は、撮像手段により撮影前に生成される画像に対して、撮影光学系のフォーカスレンズ（１６）の移動に伴って合焦状態が確立される度に人物検出を実施する。レンズ情報記憶手段（３４）は、人物検出手段による人物の検出に伴ってフォーカスレンズの位置をレンズ情報として記憶する。焦点距離差算出手段（２６）は、人物検出手段により複数の人物が検出された場合、レンズ情報記憶手段により記憶されたレンズ情報と、フォーカスレンズの位置から焦点距離を導出するための演算情報とに基づいて、人物検出手段により検出された複数の人物についての焦点距離差を算出する。【選択図】    図１
2008076981.tif 000002
【特許請求の範囲】
【請求項１】
撮影光学系を介して被写体を撮像して画像を生成する撮像手段と、
前記撮像手段により撮影前に生成される画像に対して、前記撮影光学系のフォーカスレンズの移動に伴って合焦状態が確立される度に人物検出を実施する人物検出手段と、
前記人物検出手段による人物の検出に伴って前記撮影光学系のフォーカスレンズの位置をレンズ情報として記憶するレンズ情報記憶手段と、
前記人物検出手段により複数の人物が検出された場合、前記レンズ情報記憶手段により記憶されたレンズ情報と、前記撮影光学系のフォーカスレンズの位置から焦点距離を算出するための演算情報とに基づいて、前記人物検出手段により検出された複数の人物についての焦点距離差を算出する焦点距離差算出手段とを備えることを特徴とする電子カメラ。
【請求項２】
請求項１記載の電子カメラにおいて、
前記焦点距離差算出手段により算出された焦点距離差の最大値が所定値より大きい場合、前記撮影光学系の絞り値を前記人物検出手段により検出された複数の人物の全てに焦点が合うように調整する絞り制御手段を備えることを特徴とする電子カメラ。
【請求項３】
請求項２記載の電子カメラにおいて、
前記絞り制御手段により設定された絞り値が所定値より大きい場合、前記撮像手段により撮影時に生成される画像の信号を増幅する画像信号増幅手段を備えることを特徴とする電子カメラ。
【請求項４】
請求項２記載の電子カメラにおいて、
前記絞り制御手段により設定された絞り値が所定値より大きい場合、前記撮像手段により撮影時に生成される画像の輝度を上げる画像処理手段を備えることを特徴とする電子カメラ。
【請求項５】
請求項１記載の電子カメラにおいて、
前記撮影光学系の焦点距離を可変する光学ズーム手段を備え、
前記焦点距離差算出手段は、焦点距離差の算出時に用いる演算情報を前記撮影光学系のズームレンズの位置に応じて変更することを特徴とする電子カメラ。
【請求項６】
撮影光学系を介して被写体を撮像して画像を生成する撮像手段と、
前記撮影光学系の焦点距離を可変する光学ズーム手段と、
前記撮像手段により撮影前に生成される画像に対して人物検出を実施する人物検出手段とを備え、
前記光学ズーム手段は、前記人物検出手段により複数の人物が検出された場合、前記撮影光学系の焦点距離を広角側に設定することを特徴とする電子カメラ。
【請求項７】
請求項６記載の電子カメラにおいて、
前記光学ズーム手段により前記撮影光学系の焦点距離が広角側に設定された場合、前記撮像手段により撮影時に生成される画像に対して電子ズームを実施する電子ズーム手段を備えることを特徴とする電子カメラ。
【請求項８】
撮影光学系を介して被写体を撮像して画像を生成する撮像手段と、
前記撮像手段により撮影前に生成される画像に対して人物検出を実施する人物検出手段と、
前記人物検出手段により複数の人物が検出された場合、前記撮像手段により撮影時に生成される画像に対して輪郭強調の画像処理を実施する画像処理手段とを備えることを特徴とする電子カメラ。
【請求項９】
請求項１、６、８のいずれかに記載の電子カメラにおいて、
前記人物検出手段により検出された複数の人物の全てに焦点が合ったことを検知する合焦検知手段と、
前記合焦検知手段による合焦状態の検知に伴って合焦通知情報を表示する表示手段とを備えることを特徴とする電子カメラ。
【発明の詳細な説明】
【技術分野】
【０００１】
本発明は、電子カメラに関する。
【背景技術】
【０００２】
従来の電子カメラでは、集合写真撮影のように複数の人物を被写体として撮影する場合、画面中央に位置する人物や電子カメラからの距離が最も短い人物等に焦点が合うように焦点距離が自動調整されていた。また、複数の人物を被写体として撮影する際に、各人物の電子カメラからの距離を専用センサにより測定し、測定結果に応じて絞り値を制御することで、被写体の全体に焦点が合う被写界深度を得る方法が知られている（例えば、特許文献１参照）。
【特許文献１】特開２００３−９２６９９号公報
【発明の開示】
【発明が解決しようとする課題】
【０００３】
従来の電子カメラでは、集合写真撮影のように、被写体となる複数の人物の全てに焦点を合わせる必要があり、各人物の電子カメラからの距離が大きく異なる場合でも、画面中央に位置する人物または電子カメラからの距離が最も短い人物に焦点が合うように焦点距離が自動調整されてしまう。また、狭い室内で複数の人物を被写体として撮影する場合のように、薄暗く、被写体の電子カメラからの距離が短い環境で撮影する場合には、絞り機構が開放状態となり、被写界深度が小さい状態で撮影動作が実施されてしまう。このため、集合写真撮影として理想的な条件で撮影動作が実施されず、一部の人物のみに焦点が合った画像が取得される場合があった。
【０００４】
また、被写体の全体に焦点が合う被写界深度を得るために、各人物の電子カメラからの距離を専用センサにより測定し、測定結果に応じて絞り値を制御する場合、一部の人物のみに焦点が合った画像が取得されるという問題は解消されるが、測距センサの搭載に伴ってコストが増大してしまうという問題があった。
本発明は、このような従来の問題点に鑑みてなされたものであり、複数の人物を被写体として撮影する際に被写体の全体に焦点が合った画像を確実に取得する機能を低コストで実現することを目的とする。
【課題を解決するための手段】
【０００５】
請求項１記載の発明では、撮像手段は、撮影光学系を介して被写体を撮像して画像を生成する。人物検出手段は、撮像手段により撮影前に生成される画像に対して、撮影光学系のフォーカスレンズの移動に伴って合焦状態が確立される度に人物検出を実施する。レンズ情報記憶手段は、人物検出手段による人物の検出に伴って撮影光学系のフォーカスレンズの位置をレンズ情報として記憶する。焦点距離差算出手段は、人物検出手段により複数の人物が検出された場合、レンズ情報記憶手段により記憶されたレンズ情報と、撮影光学系のフォーカスレンズの位置から焦点距離を算出するための演算情報とに基づいて、人物検出手段により検出された複数の人物についての焦点距離差を算出する。
【０００６】
請求項２記載の発明では、絞り制御手段は、焦点距離差算出手段により算出された焦点距離差の最大値が所定値より大きい場合、撮影光学系の絞り値を人物検出手段により検出された複数の人物の全てに焦点が合うように調整する。
請求項３記載の発明では、画像信号増幅手段は、絞り制御手段により設定された絞り値が所定値より大きい場合、撮像手段により撮影時に生成される画像の信号を増幅する。
【０００７】
請求項４記載の発明では、画像処理手段は、絞り制御手段により設定された絞り値が所定値より大きい場合、撮像手段により撮影時に生成される画像の輝度を上げる。
請求項５記載の発明では、光学ズーム手段は、撮影光学系の焦点距離を可変する。焦点距離差算出手段は、焦点距離差の算出時に用いる演算情報を撮影光学系のズームレンズの位置に応じて変更する。
【０００８】
請求項６記載の発明では、撮像手段は、撮影光学系を介して被写体を撮像して画像を生成する。光学ズーム手段は、撮影光学系の焦点距離を可変する。人物検出手段は、撮像手段により撮影前に生成される画像に対して人物検出を実施する。光学ズーム手段は、人物検出手段により複数の人物が検出された場合、撮影光学系の焦点距離を広角側に設定する。
【０００９】
請求項７記載の発明では、電子ズーム手段は、光学ズーム手段により撮影光学系の焦点距離が広角側に設定された場合、撮像手段により撮影時に生成される画像に対して電子ズームを実施する。
請求項８記載の発明では、撮像手段は、撮影光学系を介して被写体を撮像して画像を生成する。人物検出手段は、撮像手段により撮影前に生成される画像に対して人物検出を実施する。画像処理手段は、人物検出手段により複数の人物が検出された場合、撮像手段により撮影時に生成される画像に対して輪郭強調の画像処理を実施する。
【００１０】
請求項９記載の発明では、合焦検知手段は、人物検出手段により検出された複数の人物の全てに焦点が合ったことを検知する。表示手段は、合焦検知手段による合焦状態の検知に伴って合焦通知情報を表示する。
【発明の効果】
【００１１】
本発明によれば、複数の人物を被写体として撮影する際に被写体の全体に焦点が合った画像を確実に取得できる。また、被写体となる各人物の電子カメラからの距離を測定するための測距センサを不要にできる。従って、被写体の全体に焦点が合った画像を確実に取得する機能をコストの増大を伴うことなく実現できる。
【発明を実施するための最良の形態】
【００１２】
以下、本発明の実施形態について図面を用いて説明する。
（第１実施形態）
図１は、本発明の第１実施形態を示している。第１実施形態の電子カメラ１０は、撮影レンズ部１２、ＣＣＤ（Charge Coupled Device）２０、ＡＦＥ／ＴＧ（Analog Front End / Timing Generator）２２、画像処理部２４、ＣＰＵ（Central Processing Unit）２６、操作部２８、ＬＣＤ（Liquid Cystal Display）３０、ＲＯＭ（Read Only Memory）３２、ＳＤＲＡＭ（Synchronous Dynamic Random Access Memory）３４、記録メディア３６およびバス３８を備えて構成されている。
【００１３】
撮影レンズ部１２は、ズームレンズ（変倍用レンズ）１４、フォーカスレンズ（合焦用レンズ）１６および絞り・シャッタ機構１８を備えて構成されている。ＣＣＤ２０は、撮影レンズ部１２を介して被写体を撮像して画像データを生成する。ＡＦＥ／ＴＧ２２は、ＣＣＤ２０から供給されるアナログの画像データに対してアナログ信号処理やＡ／Ｄ変換処理等を実施する。画像処理部２４は、ＡＦＥ／ＴＧ２２から供給される画像データに対して各種画像処理を実施する。ＣＰＵ２６は、電子カメラ１０の全体を制御するための各種演算処理を実施する。操作部２８は、例えば、撮影動作の開始を指示するための撮影スイッチ、撮影モードを選択するためのモード選択スイッチ、各種機能を設定するための十字ボタンおよび決定ボタン等を備えて構成されている。
【００１４】
ＬＣＤ３０は、画像データやメニュー画面用データ等を表示する。ＲＯＭ３２は、画像処理部２４およびＣＰＵ２６に各種処理を実行させるためのファームウェア等を格納している。ＳＤＲＡＭ３４は、画像データやＣＰＵ２６の演算処理結果等の各種データを一時的に格納する。記録メディア３６は、例えば、画像データ等を格納するために電子カメラ１０に着脱自在に装着されるメモリカードである。バス３８は、ＡＦＥ／ＴＧ２２、画像処理部２４、ＣＰＵ２６、ＬＣＤ３０、ＲＯＭ３２、ＳＤＲＡＭ３４および記録メディア３６を相互に接続し、これらの間でのデータの授受を可能する。
【００１５】
図２は、第１実施形態の電子カメラの動作を示している。第１実施形態の電子カメラ１０は、図１に示した構成を有し、図２に示すように動作する。以下、第１実施形態の電子カメラ１０の動作について説明する。
ステップＳ１０１において、ＣＰＵ２６は、操作部２８の撮影スイッチの半押し状態を検知するまで待機する。ＣＰＵ２６により操作部２８の撮影スイッチの半押し状態が検知されると、電子カメラ１０の動作はステップＳ１０２に移行する。
【００１６】
ステップＳ１０２において、ＣＰＵ２６は、撮影レンズ部１２に対してフォーカスレンズ１６の移動を指示する。これにより、フォーカスレンズ１６が光軸方向に移動する。この後、電子カメラ１０の動作はステップＳ１０３に移行する。
ステップＳ１０３において、ＣＰＵ２６は、フォーカスレンズ１６の移動に伴って合焦状態が確立されたか否かを判定する。ＣＰＵ２６により合焦状態が確立されたと判定された場合、電子カメラ１０の動作はステップＳ１０４に移行する。一方、ＣＰＵ２６により合焦状態が確立されなかったと判定された場合、電子カメラ１０の動作はステップＳ１０２に再度移行する。
【００１７】
ステップＳ１０４において、ＣＰＵ２６は、画像処理部２４に対して人物検出処理の実施を指示する。これにより、画像処理部２４は、ＡＦＥ／ＴＧ２２から供給される画像データに対して人物検出処理を実施する。なお、人物検出処理は、周知の顔認識処理等により具現される。画像処理部２４により人物が検出された場合、ＣＰＵ２６は、撮影レンズ部１２から供給されるフォーカスレンズ位置データ（フォーカスレンズ１６の現在の位置を示すデータ）を取得してＳＤＲＡＭ３４に格納する。この後、電子カメラ１０の動作はステップＳ１０５に移行する。一方、画像処理部２４により人物が検出されなかった場合、電子カメラ１０の動作はステップＳ１０５〜Ｓ１１７を省略してステップＳ１１８に移行する。
【００１８】
ステップＳ１０５において、ＣＰＵ２６は、撮影レンズ部１２に対してフォーカスレンズ１６の移動を指示する。これにより、フォーカスレンズ１６が光軸方向に移動する。この後、電子カメラ１０の動作はステップＳ１０６に移行する。
ステップＳ１０６において、ＣＰＵ２６は、フォーカスレンズ１６の移動に伴って合焦状態が確立されたか否かを判定する。ＣＰＵ２６により合焦状態が確立されたと判定された場合、電子カメラ１０の動作はステップＳ１０７に移行する。一方、ＣＰＵ２６により合焦状態が確立されなかったと判定された場合、電子カメラ１０の動作はステップＳ１０５に再度移行する。
【００１９】
ステップＳ１０７において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、ＣＰＵ２６は、撮影レンズ部１２から供給されるフォーカスレンズ位置データを取得してＳＤＲＡＭ３４に格納する。この後、電子カメラ１０の動作はステップＳ１０８に移行する。一方、画像処理部２４により人物が検出されなかった場合、電子カメラ１０の動作はステップＳ１０８〜Ｓ１１７を省略してステップＳ１１８に移行する。
【００２０】
ステップＳ１０８において、ＣＰＵ２６は、ステップＳ１０４、Ｓ１０７の双方で画像処理部２４により人物が検出されたことで、今回の撮影が集合写真撮影であることを認識する。この後、電子カメラ１０の動作はステップＳ１０９に移行する。
ステップＳ１０９において、ＣＰＵ２６は、撮影レンズ部１２に対してフォーカスレンズ１６の移動を指示する。これにより、フォーカスレンズ１６が光軸方向に移動する。この後、電子カメラ１０の動作はステップＳ１１０に移行する。
【００２１】
ステップＳ１１０において、ＣＰＵ２６は、フォーカスレンズ１６の移動に伴って合焦状態が確立されたか否かを判定する。ＣＰＵ２６により合焦状態が確立されたと判定された場合、電子カメラ１０の動作はステップＳ１１１に移行する。一方、ＣＰＵ２６により合焦状態が確立されなかったと判定された場合、電子カメラ１０の動作はステップＳ１０９に再度移行する。
【００２２】
ステップＳ１１１において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、ＣＰＵ２６は、撮影レンズ部１２から供給されるフォーカスレンズ位置データを取得してＳＤＲＡＭ３４に格納する。この後、電子カメラ１０の動作はステップＳ１０９に再度移行する。一方、画像処理部２４により人物が検出されなかった場合、電子カメラ１０の動作はステップＳ１１２に移行する。なお、ステップＳ１０２〜Ｓ１１１が適宜実施されている間、フォーカスレンズ１６は、ステップＳ１０２、Ｓ１０５、Ｓ１０９により、無限遠側から至近側へ向かって徐々に移動する。
【００２３】
ステップＳ１１２において、ＣＰＵ２６は、画像処理部２４による人物の検出に伴ってＳＤＲＡＭ３４に格納したフォーカスレンズ位置データと、ＲＯＭ３２に予め格納された焦点距離算出用演算データ（フォーカスレンズ１６の位置から焦点距離を算出するためのデータ）とに基づいて、画像処理部２４により検出された複数の人物についての焦点距離差を算出する。なお、フォーカスレンズ１６の位置と焦点距離との関係はズームレンズ１４の位置に応じて変化するため、ＲＯＭ３２にはズームレンズ１４の位置に対応して複数の焦点距離算出用演算データが予め格納されている。ＣＰＵ２６は、焦点距離差を算出する際に、撮影レンズ部１２から供給されるズームレンズ位置データ（ズームレンズ１４の現在の位置を示すデータ）を取得し、ズームレンズ１４の現在の位置に対応する焦点距離算出用演算データを使用する。そして、ＣＰＵ２６は、焦点距離差が最大値となる二人（電子カメラ１０からの距離が最も短い人物と電子カメラ１０からの距離が最も長い人物）の焦点距離の平均値を中心焦点距離として算出する。この後、電子カメラ１０の動作はステップＳ１１３に移行する。
【００２４】
ステップＳ１１３において、ＣＰＵ２６は、ステップＳ１１２で算出した中心焦点距離に対応するフォーカスレンズ１６の位置を算出し、撮影レンズ部１２に対してフォーカスレンズ１６の中心焦点距離の対応位置への移動を指示する。これにより、フォーカスレンズ１６が中心焦点距離の対応位置へ光軸方向に移動する。この後、電子カメラ１０の動作はステップＳ１１４に移行する。
【００２５】
ステップＳ１１４において、ＣＰＵ２６は、フォーカスレンズ１６の移動に伴って被写体となる複数の人物の全て（画像処理部２４により検出された複数の人物の全て）について合焦状態が確立されたか否かを判定する。具体的には、ＣＰＵ２６は、ＡＦＥ／ＴＧ２２から供給される画像データにおける画像処理部２４により人物が検出された領域の全てについてコントラスト値が所定値より大きければ、合焦状態が確立されたと判定する。但し、ステップＳ１１４に限り、ＣＰＵ２６は、画像処理部２４により人物が検出された領域の全てについてコントラスト値が所定値より大きくても、ステップＳ１１２で算出した焦点距離差の最大値が所定値より大きい場合には、合焦状態が確立されなかったと判定する。ＣＰＵ２６により合焦状態が確立されたと判定された場合、電子カメラ１０の動作はステップＳ１１５、Ｓ１１６を省略してステップＳ１１７に移行する。一方、ＣＰＵ２６により合焦状態が確立されなかったと判定された場合、電子カメラ１０の動作はステップＳ１１５に移行する。
【００２６】
ステップＳ１１５において、ＣＰＵ２６は、撮影レンズ部１２に対して絞り・シャッタ機構１８の絞り値の調整を指示する。これにより、絞り・シャッタ機構１８の絞り値が入射光の光量が減る方向に１段階だけ変更される。この後、電子カメラ１０の動作はステップＳ１１６に移行する。
ステップＳ１１６において、ＣＰＵ２６は、絞り・シャッタ機構１８の絞り値の調整に伴って被写体となる複数の人物の全てについて合焦状態が確立されたか否かを判定する。ＣＰＵ２６により合焦状態が確立されたと判定された場合、電子カメラ１０の動作はステップＳ１１７に移行する。一方、ＣＰＵ２６により合焦状態が確立されなかったと判定された場合、電子カメラ１０の動作はステップＳ１１５に再度移行する。
【００２７】
ステップＳ１１７において、ＣＰＵ２６は、ＬＣＤ３０に対して全人物合焦通知用データ（被写体となる複数の人物の全てについて合焦状態が確立されたことを電子カメラ１０の操作者に通知するためのデータ）の表示を指示する。これにより、ＬＣＤ３０は、全人物合焦通知用データをＲＯＭ３２から取得して表示する。この後、電子カメラ１０の動作はステップＳ１１８に移行する。
【００２８】
ステップＳ１１８において、ＣＰＵ２６は、操作部２８の撮影スイッチの全押し状態を検知するまで待機する。ＣＰＵ２６により操作部２８の撮影スイッチの全押し状態が検知されると、電子カメラ１０の動作はステップＳ１１９に移行する。
ステップＳ１１９において、ＣＰＵ２６は、撮影動作を開始するために、撮影レンズ部１２に対して絞り・シャッタ機構１８のシャッタの駆動を指示する。これにより、絞り・シャッタ機構１８のシャッタが駆動される。この後、電子カメラ１０の動作はステップＳ１２０に移行する。
【００２９】
ステップＳ１２０において、ＣＰＵ２６は、画像処理部２４に対して所定の画像処理の実施を指示する。これにより、画像処理部２４は、ＡＦＥ／ＴＧ２２から供給される画像データに対して所定の画像処理を実施する。この後、電子カメラ１０の動作はステップＳ１２１に移行する。
ステップＳ１２１において、ＣＰＵ２６は、画像処理部２４に対して画像データの格納を指示する。これにより、画像処理部２４は、ステップＳ１２０で所定の画像処理を実施して得られた画像データをＳＤＲＡＭ３４または記録メディア３６に格納する。
【００３０】
図３は、集合写真撮影の被写体の一例を示している。図４は、被写界深度および焦点距離を概念的に示している。以下、図３に示すような位置関係の人物Ａ〜Ｅを被写体とした集合写真撮影時の電子カメラ１０の動作について説明する。
操作部２８の撮影スイッチの半押し状態が検知されると、フォーカスレンズ１６の移動に伴って合焦状態が確立される度に画像処理部２４の人物検出処理が実施され、人物Ａ〜Ｅが順次検出される。なお、人物Ａ〜Ｅのいずれか二人が検出された時点で今回の撮影が集合写真撮影であることが認識される。そして、人物Ａ〜Ｅが検出された際のフォーカスレンズ１６の位置に基づいて中心焦点距離（図４の焦点距離Ｌｃに相当）が算出され、フォーカスレンズ１６の位置が中心焦点距離の対応位置に設定される。
【００３１】
この後、人物Ａ〜Ｅの全てに焦点が合っているか否かが判定される。この時点での被写界深度が図４の被写界深度Ｄｃのように小さい場合、人物Ｃを除く人物Ａ、Ｂ、Ｄ、Ｅに焦点が合っていないと判定され、被写界深度を大きくするために絞り・シャッタ機構１８の絞り値が入射光の光量が減る方向に１段階だけ変更される。そして、人物Ａ〜Ｅの全てに焦点が合っているか否かが再度判定される。絞り・シャッタ機構１８の絞り値の調整と全人物合焦判定とが人物Ａ〜Ｅの全てに焦点が合うまで繰り返し実施されることで、最終的な被写界深度が図４の被写界深度Ｄａｅのように設定される。これに伴って、全人物合焦通知用データがＬＣＤ３０に表示される。
【００３２】
この状態で、操作部２８の撮影スイッチの全押し状態が検知されると、撮影動作を開始するために絞り・シャッタ機構１８のシャッタが駆動される。そして、ＡＦＥ／ＴＧ２２から供給される画像データに対して所定の画像処理が実施されてＳＤＲＡＭ３４または記録メディア３６に格納される。
以上のような第１実施形態では、今回の撮影が複数の人物を被写体とした撮影（集合写真撮影）であることが自動認識され、被写体の全体に焦点が合うように被写界深度が自動調整されるため、被写体の全体に焦点が合った画像を確実に取得できる。即ち、複数の人物を被写体として撮影する際に被写体の一部のみに焦点が合った画像が取得されるという問題を解消できる。また、被写体となる各人物の電子カメラからの距離を測定するための測距センサは不要であるため、被写体の全体に焦点が合った画像を確実に取得する機能を低コストで実現できる。
（第２実施形態）
図５は、本発明の第２実施形態を示している。第２実施形態の電子カメラは、第１実施形態の電子カメラの構成（図１）と同一の構成を有し、図５に示すように動作する。以下、第２実施形態の電子カメラの動作について、第１実施形態の電子カメラの構成要素に付した符号と同一の符号を使用して説明する。
【００３３】
ステップＳ２０１において、ＣＰＵ２６は、操作部２８の撮影スイッチの半押し状態を検知するまで待機する。ＣＰＵ２６により操作部２８の撮影スイッチの半押し状態が検知されると、電子カメラの動作はステップＳ２０２に移行する。
ステップＳ２０２において、ＣＰＵ２６は、撮影レンズ部１２に対してフォーカスレンズ１６の移動を指示する。これにより、フォーカスレンズ１６が光軸方向に移動する。この後、電子カメラの動作はステップＳ２０３に移行する。
【００３４】
ステップＳ２０３において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ２０４に移行する。一方、ＣＰＵ２６により合焦状態が確立されなかったと判定された場合、電子カメラの動作はステップＳ２０２に再度移行する。
【００３５】
ステップＳ２０４において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、ＣＰＵ２６は、撮影レンズ部１２から供給されるフォーカスレンズ位置データを取得してＳＤＲＡＭ３４に格納する。この後、電子カメラの動作はステップＳ２０５に移行する。一方、画像処理部２４により人物が検出されなかった場合、電子カメラの動作はステップＳ２０５〜Ｓ２１８を省略してステップＳ２１９に移行する。
【００３６】
ステップＳ２０５において、ＣＰＵ２６は、撮影レンズ部１２に対してフォーカスレンズ１６の移動を指示する。これにより、フォーカスレンズ１６が光軸方向に移動する。この後、電子カメラの動作はステップＳ２０６に移行する。
ステップＳ２０６において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ２０７に移行する。一方、ＣＰＵ２６により合焦状態が確立されなかったと判定された場合、電子カメラの動作はステップＳ２０５に再度移行する。
【００３７】
ステップＳ２０７において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、ＣＰＵ２６は、撮影レンズ部１２から供給されるフォーカスレンズ位置データを取得してＳＤＲＡＭ３４に格納する。この後、電子カメラの動作はステップＳ２０８に移行する。一方、画像処理部２４により人物が検出されなかった場合、電子カメラの動作はステップＳ２０８〜Ｓ２１８を省略してステップＳ２１９に移行する。
【００３８】
ステップＳ２０８において、ＣＰＵ２６は、ステップＳ２０４、Ｓ２０７の双方で画像処理部２４により人物が検出されたことで、今回の撮影が集合写真撮影であることを認識する。この後、電子カメラの動作はステップＳ２０９に移行する。
ステップＳ２０９において、ＣＰＵ２６は、撮影レンズ部１２に対してフォーカスレンズ１６の移動を指示する。これにより、フォーカスレンズ１６が光軸方向に移動する。この後、電子カメラの動作はステップＳ２１０に移行する。
【００３９】
ステップＳ２１０において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ２１１に移行する。一方、ＣＰＵ２６により合焦状態が確立されなかったと判定された場合、電子カメラの動作はステップＳ２０９に再度移行する。
【００４０】
ステップＳ２１１において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、ＣＰＵ２６は、撮影レンズ部１２から供給されるフォーカスレンズ位置データを取得してＳＤＲＡＭ３４に格納する。この後、電子カメラの動作はステップＳ２０９に再度移行する。一方、画像処理部２４により人物が検出されなかった場合、電子カメラの動作はステップＳ２１２に移行する。
【００４１】
ステップＳ２１２において、ＣＰＵ２６は、画像処理部２４による人物の検出に伴ってＳＤＲＡＭ３４に格納したフォーカスレンズ位置データに基づいて、フォーカスレンズ１６のレンズ移動量（電子カメラからの距離が最も短い人物が検出された際の位置と電子カメラからの距離が最も短い人物が検出された際の位置との距離差）を算出する。この後、電子カメラの動作はステップＳ２１３に移行する。
【００４２】
ステップＳ２１３において、ＣＰＵ２６は、撮影レンズ部１２に対してフォーカスレンズ１６の移動範囲（電子カメラからの距離が最も短い人物が検出された際の位置から電子カメラからの距離が最も長い人物が検出された際の位置までの範囲）の中心位置への移動を指示する。これにより、フォーカスレンズ１６が移動範囲の中心位置へ光軸方向に移動する。この後、電子カメラの動作はステップＳ２１３に移行する。
【００４３】
ステップＳ２１４において、ＣＰＵ２６は、ステップＳ２１２で算出したフォーカスレンズ１６のレンズ移動量と、ＲＯＭ３２に予め格納された焦点距離差算出用演算データ（フォーカスレンズ１６のレンズ移動量から焦点距離差を算出するためのデータ）とに基づいて、必要被写界深度（被写体となる複数の人物の全てに焦点を合わせるために必要な被写界深度）を算出する。なお、フォーカスレンズ１６のレンズ移動量と焦点距離差との関係はズームレンズ１４の位置に応じて変化するため、ＲＯＭ３２にはズームレンズ１４の位置に対応して複数の焦点距離差算出用演算データが予め格納されている。ＣＰＵ２６は、必要被写界深度を算出する際に、撮影レンズ部１２から供給されるズームレンズ位置データを取得し、ズームレンズ１４の現在の位置に対応する焦点距離差算出用演算データを使用する。この後、電子カメラの動作はステップＳ２１５に移行する。
【００４４】
ステップＳ２１５において、ＣＰＵ２６は、撮影レンズ部１２から供給されるズームレンズ位置データ、フォーカスレンズ位置データおよび絞り値データ（絞り・シャッタ機構１８の現在の絞り値を示すデータ）に基づいて現在の被写界深度を算出し、ステップＳ２１４で算出した必要被写界深度が現在の被写界深度より大きいか否かを判定する。ＣＰＵ２６により必要被写界深度が現在の被写界深度より大きいと判定された場合、電子カメラの動作はステップＳ２１６に移行する。一方、ＣＰＵ２６により必要被写界深度が現在の被写界深度より小さいと判定された場合、電子カメラの動作はステップＳ２１６を省略してステップＳ２１７に移行する。
【００４５】
ステップＳ２１６において、ＣＰＵ２６は、ステップＳ２１４で算出した必要被写界深度と、ＲＯＭ３２に予め格納された絞り値算出用演算データ（必要被写界深度から絞り・シャッタ機構１８の絞り値を算出するためのデータ）とに基づいて、必要被写界深度に対応する絞り・シャッタ機構１８の絞り値を算出し、撮影レンズ部１２に対して絞り・シャッタ機構１８の絞り値の調整を指示する。これにより、絞り・シャッタ機構１８の絞り値が必要被写界深度に対応する絞り値に設定される。この後、電子カメラの動作はステップＳ２１７に移行する。
【００４６】
ステップＳ２１７において、ＣＰＵ２６は、絞り・シャッタ機構１８の絞り値の調整に伴って被写体となる複数の人物の全てについて合焦状態が確立されたか否かを判定する。ＣＰＵ２６により合焦状態が確立されたと判定された場合、電子カメラの動作はステップＳ２１８に移行する。一方、ＣＰＵ２６により合焦状態が確立されなかったと判定された場合、電子カメラの動作はステップＳ２０５に再度移行する。
【００４７】
ステップＳ２１８において、ＣＰＵ２６は、ＬＣＤ３０に対して全人物合焦通知用データの表示を指示する。これにより、ＬＣＤ３０は、全人物合焦通知用データをＲＯＭ３２から取得して表示する。この後、電子カメラの動作はステップＳ２１９に移行する。
ステップＳ２１９において、ＣＰＵ２６は、操作部２８の撮影スイッチの全押し状態を検知するまで待機する。ＣＰＵ２６により操作部２８の撮影スイッチの全押し状態が検知されると、電子カメラの動作はステップＳ２２０に移行する。
【００４８】
ステップＳ２２０において、ＣＰＵ２６は、撮影動作を開始するために、撮影レンズ部１２に対して絞り・シャッタ機構１８のシャッタの駆動を指示する。これにより、絞り・シャッタ機構１８のシャッタが駆動される。この後、電子カメラの動作はステップＳ２２１に移行する。
ステップＳ２２１において、ＣＰＵ２６は、画像処理部２４に対して所定の画像処理の実施を指示する。これにより、画像処理部２４は、ＡＦＥ／ＴＧ２２から供給される画像データに対して所定の画像処理を実施する。この後、電子カメラの動作はステップＳ２２２に移行する。
【００４９】
ステップＳ２２２において、ＣＰＵ２６は、画像処理部２４に対して画像データの格納を指示する。これにより、画像処理部２４は、ステップＳ２２１で所定の画像処理を実施して得られた画像データをＳＤＲＡＭ３４または記録メディア３６に格納する。
以上のような第２実施形態でも、第１実施形態と同様の効果が得られる。また、第２実施形態では、フォーカスレンズ１６のレンズ移動量と必要被写界深度と絞り・シャッタ機能１８の絞り値との関係を示す演算データがＲＯＭ３２に予め格納され、その演算データに基づいて絞り・シャッタ機能１８の絞り値が調整されるため、撮影動作の開始までに要する時間を第１実施形態に比べて短縮できる。
（第３実施形態）
図６は、本発明の第３実施形態を示している。第３実施形態の電子カメラは、第１実施形態の電子カメラの構成（図１）と同一の構成を有し、図６に示すように動作する。以下、第３実施形態の電子カメラの動作について、第１実施形態の電子カメラの構成要素に付した符号と同一の符号を使用して説明する。
【００５０】
ステップＳ３０１において、ＣＰＵ２６は、操作部２８の撮影スイッチの半押し状態を検知するまで待機する。ＣＰＵ２６により操作部２８の撮影スイッチの半押し状態が検知されると、電子カメラの動作はステップＳ３０２に移行する。
ステップＳ３０２において、ＣＰＵ２６は、撮影レンズ部１２から供給されるズームレンズ位置データを取得してＳＤＲＡＭ３４に格納する。この後、電子カメラの動作はステップＳ３０３に移行する。
【００５１】
ステップＳ３０３において、ＣＰＵ２６は、撮影レンズ部１２に対してフォーカスレンズ１６の移動を指示する。これにより、フォーカスレンズ１６が光軸方向に移動する。この後、電子カメラの動作はステップＳ３０４に移行する。
ステップＳ３０４において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ３０５に移行する。一方、ＣＰＵ２６により合焦状態が確立されなかったと判定された場合、電子カメラの動作はステップＳ３０３に再度移行する。
【００５２】
ステップＳ３０５において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、電子カメラの動作はステップＳ３０６に移行する。一方、画像処理部２４により人物が検出されなかった場合、電子カメラの動作はステップＳ３０６〜Ｓ３１３を省略してステップＳ３１４に移行する。
【００５３】
ステップＳ３０６において、ＣＰＵ２６は、撮影レンズ部１２に対してフォーカスレンズ１６の移動を指示する。これにより、フォーカスレンズ１６が光軸方向に移動する。この後、電子カメラの動作はステップＳ３０７に移行する。
ステップＳ３０７において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ３０８に移行する。一方、ＣＰＵ２６により合焦状態が確立されなかったと判定された場合、電子カメラの動作はステップＳ３０６に再度移行する。
【００５４】
ステップＳ３０８において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、電子カメラの動作はステップＳ３０９に移行する。一方、画像処理部２４により人物が検出されなかった場合、電子カメラの動作はステップＳ３０９〜Ｓ３１３を省略してステップＳ３１４に移行する。
【００５５】
ステップＳ３０９において、ＣＰＵ２６は、ステップＳ３０５、Ｓ３０８の双方で画像処理部２４により人物が検出されたことで、今回の撮影が集合写真撮影であることを認識する。この後、電子カメラの動作はステップＳ３１０に移行する。
ステップＳ３１０において、ＣＰＵ２６は、撮影レンズ部１２に対してズームレンズ１４の広角側への移動を指示する。これにより、ズームレンズ１４が広角側へ光軸方向に移動する。この後、電子カメラの動作はステップＳ３１１に移行する。
【００５６】
ステップＳ３１１において、ＣＰＵ２６は、撮影レンズ部１２に対してフォーカスレンズ１６の移動を指示する。これにより、フォーカスレンズ１６が光軸方向に移動する。この後、電子カメラの動作はステップＳ３１２に移行する。
ステップＳ３１２において、ＣＰＵ２６は、フォーカスレンズ１６の移動に伴って被写体となる複数の人物の全てについて合焦状態が確立されたか否かを判定する。ＣＰＵ２６により合焦状態が確立されたと判定された場合、電子カメラの動作はステップＳ３１３に移行する。一方、ＣＰＵ２６により合焦状態が確立されなかったと判定された場合、電子カメラの動作はステップＳ３１１に再度移行する。
【００５７】
ステップＳ３１３において、ＣＰＵ２６は、ＬＣＤ３０に対して全人物合焦通知用データの表示を指示する。これにより、ＬＣＤ３０は、全人物合焦通知用データをＲＯＭ３２から取得して表示する。この後、電子カメラの動作はステップＳ３１４に移行する。
ステップＳ３１４において、ＣＰＵ２６は、操作部２８の撮影スイッチの全押し状態を検知するまで待機する。ＣＰＵ２６により操作部２８の撮影スイッチの全押し状態が検知されると、電子カメラの動作はステップＳ３１５に移行する。
【００５８】
ステップＳ３１５において、ＣＰＵ２６は、撮影動作を開始するために、撮影レンズ部１２に対して絞り・シャッタ機構１８のシャッタの駆動を指示する。これにより、絞り・シャッタ機構１８のシャッタが駆動される。この後、電子カメラの動作はステップＳ３１６に移行する。
ステップＳ３１６において、ＣＰＵ２６は、画角自動補正機能が有効に設定されているか否かを判定する。なお、画角自動補正機能の有効／無効は、電子カメラの操作者により操作部２８の十字ボタンおよび決定ボタンを介して撮影前に設定される。ＣＰＵ２６により画角自動補正機能が有効に設定されていると判定された場合、電子カメラの動作はステップＳ３１７に移行する。一方、ＣＰＵ２６により画角自動補正機能が無効に設定されていると判定された場合、電子カメラの動作はステップＳ３１７を省略してステップＳ３１８に移行する。
【００５９】
ステップＳ３１７において、ＣＰＵ２６は、ステップＳ３０９で集合写真撮影を認識した場合にのみ、画像処理部２４に対して画角補正処理の実施を指示する。これにより、画像処理部２４は、ステップＳ３０９でＣＰＵ２６により集合写真撮影が認識された場合にのみ、ＡＦＥ／ＴＧ２２から供給される画像データに対して画角補正処理を実施する。具体的には、画像処理部２４は、ステップＳ３０２でＣＰＵ２６によりＳＤＲＡＭ３４に格納されたズームレンズ位置データに基づいて、画像データにおける被写体の大きさを適切なものに修正するために必要な画角を算出し、ＡＦＥ／ＴＧ２２から供給される画像データに対してデジタルズーム処理を実施する。この後、電子カメラの動作はステップＳ３１８に移行する。
【００６０】
ステップＳ３１８において、ＣＰＵ２６は、画像処理部２４に対して所定の画像処理の実施を指示する。これにより、画像処理部２４は、ステップＳ３１７で画角補正処理を実施した場合には、画角補正処理を実施して得られた画像データに対して所定の画像処理を実施し、ステップＳ３１７で画角補正処理を実施しなかった場合には、ＡＦＥ／ＴＧ２２から供給される画像データに対して所定の画像処理を実施する。この後、電子カメラの動作はステップＳ３１９に移行する。
【００６１】
ステップＳ３１９において、ＣＰＵ２６は、画像処理部２４に対して画像データの格納を指示する。これにより、画像処理部２４は、ステップＳ３１８で所定の画像処理を実施して得られた画像データをＳＤＲＡＭ３４または記録メディア３６に格納する。
以上のような第３実施形態では、画像処理部２４の人物検出処理により複数の人物が検出された場合（ＣＰＵ２６により集合写真撮影が認識された場合）、被写界深度を大きくするためにズームレンズ１４の位置が広角側に設定される。このため、集合写真撮影の際に、被写体となる各人物の電子カメラからの距離が大きく異なる場合でも、被写体の全体に焦点が合った画像データを取得でき、第１実施形態と同様の効果が得られる。また、ＣＰＵ２６により集合写真撮影が認識され、ズームレンズ１４の位置が広角側に設定された場合、画像処理部２４の画角補正処理（デジタルズーム処理）が電子カメラの操作者の選択に応じて実施される。従って、ズームレンズ１４の位置が広角側に設定されたことに起因して画像データにおける被写体（複数の人物）の大きさが小さくなるという問題も解消できる。
（第４実施形態）
図７は、本発明の第４実施形態を示している。第４実施形態の電子カメラは、第１実施形態の電子カメラの構成（図１）と同一の構成を有し、図７に示すように動作する。以下、第４実施形態の電子カメラの動作について、第１実施形態の電子カメラの構成要素に付した符号と同一の符号を使用して説明する。
【００６２】
ステップＳ４０１において、ＣＰＵ２６は、操作部２８の撮影スイッチの半押し状態を検知するまで待機する。ＣＰＵ２６により操作部２８の撮影スイッチの半押し状態が検知されると、電子カメラの動作はステップＳ４０２に移行する。
ステップＳ４０２において、ＣＰＵ２６は、撮影レンズ部１２に対してフォーカスレンズ１６の移動を指示する。これにより、フォーカスレンズ１６が光軸方向に移動する。この後、電子カメラの動作はステップＳ４０３に移行する。
【００６３】
ステップＳ４０３において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ４０４に移行する。一方、ＣＰＵ２６により合焦状態が確立されなかったと判定された場合、電子カメラの動作はステップＳ４０２に再度移行する。
【００６４】
ステップＳ４０４において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、電子カメラの動作はステップＳ４０５に移行する。一方、画像処理部２４により人物が検出されなかった場合、電子カメラの動作はステップＳ４０５〜Ｓ４１１を省略してステップＳ４１２に移行する。
【００６５】
ステップＳ４０５において、ＣＰＵ２６は、撮影レンズ部１２に対してフォーカスレンズ１６の移動を指示する。これにより、フォーカスレンズ１６が光軸方向に移動する。この後、電子カメラの動作はステップＳ４０６に移行する。
ステップＳ４０６において、ＣＰＵ２６は、フォーカスレンズ１６の移動に伴って合焦状態が確立されたか否かを判定する。ＣＰＵ２６により合焦状態が確立されたと判定された場合、電子カメラの動作はステップＳ４０７に移行する。一方、ＣＰＵ２６により合焦状態が確立されなかったと判定された場合、電子カメラの動作はステップＳ４０５に再度移行する。
【００６６】
ステップＳ４０７において、ＣＰＵ２６は、画像処理部２４に対して人物検出処理の実施を指示する。これにより、画像処理部２４は、ＡＦＥ／ＴＧ２２から供給される画像データに対して人物検出処理を実施する。画像処理部２４により人物が検出された場合、電子カメラの動作はステップＳ４０８に移行する。一方、画像処理部２４により人物が検出されなかった場合、電子カメラの動作はステップＳ４０８〜Ｓ４１１を省略してステップＳ４１２に移行する。
【００６７】
ステップＳ４０８において、ＣＰＵ２６は、ステップＳ４０４、Ｓ４０７の双方で画像処理部２４により人物が検出されたことで、今回の撮影が集合写真撮影であることを認識する。この後、電子カメラの動作はステップＳ４０９に移行する。
ステップＳ４０９において、ＣＰＵ２６は、撮影レンズ部１２に対してフォーカスレンズ１６の移動を指示する。これにより、フォーカスレンズ１６が光軸方向に移動する。この後、電子カメラの動作はステップＳ４１０に移行する。
【００６８】
ステップＳ４１０において、ＣＰＵ２６は、フォーカスレンズ１６の移動に伴って被写体となる複数の人物の全てについて合焦状態が確立されたか否かを判定する。ＣＰＵ２６により合焦状態が確立されたと判定された場合、電子カメラの動作はステップＳ４１１に移行する。一方、ＣＰＵ２６により合焦状態が確立されなかったと判定された場合、電子カメラの動作はステップＳ４０９に再度移行する。
【００６９】
ステップＳ４１１において、ＣＰＵ２６は、ＬＣＤ３０に対して全人物合焦通知用データの表示を指示する。これにより、ＬＣＤ３０は、全人物合焦通知用データをＲＯＭ３２から取得して表示する。この後、電子カメラの動作はステップＳ４１２に移行する。
ステップＳ４１２において、ＣＰＵ２６は、操作部２８の撮影スイッチの全押し状態を検知するまで待機する。ＣＰＵ２６により操作部２８の撮影スイッチの全押し状態が検知されると、電子カメラの動作はステップＳ４１３に移行する。
【００７０】
ステップＳ４１３において、ＣＰＵ２６は、撮影動作を開始するために、撮影レンズ部１２に対して絞り・シャッタ機構１８のシャッタの駆動を指示する。これにより、絞り・シャッタ機構１８のシャッタが駆動される。この後、電子カメラの動作はステップＳ４１４に移行する。
ステップＳ４１４において、ＣＰＵ２６は、ステップＳ４０８で集合写真撮影を認識した場合にのみ、画像処理部２４に対して輪郭強調処理の実施を指示する。これにより、画像処理部２４は、ステップＳ４０８でＣＰＵ２６により集合写真撮影が認識された場合にのみ、ＡＦＥ／ＴＧ２２から供給される画像データに対して輪郭強調処理を実施する。なお、輪郭強調処理は周知の画像処理であるため、輪郭強調処理の詳細については説明を省略する。この後、電子カメラの動作はステップＳ４１５に移行する。
【００７１】
ステップＳ４１５において、ＣＰＵ２６は、画像処理部２４に対して所定の画像処理の実施を指示する。これにより、画像処理部２４は、ステップＳ４１４で輪郭強調処理を実施した場合には、輪郭強調処理を実施して得られた画像データに対して所定の画像処理を実施し、ステップＳ４１４で輪郭強調処理を実施しなかった場合には、ＡＦＥ／ＴＧ２２から供給される画像データに対して所定の画像処理を実施する。この後、電子カメラの動作はステップＳ４１６に移行する。
【００７２】
ステップＳ４１６において、ＣＰＵ２６は、画像処理部２４に対して画像データの格納を指示する。これにより、画像処理部２４は、ステップＳ４１５で所定の画像処理を実施して得られた画像データをＳＤＲＡＭ３４または記録メディア３６に格納する。
以上のような第４実施形態では、画像処理部２４の人物検出処理により複数の人物が検出された場合（ＣＰＵ２６により集合写真撮影が認識された場合）、画像処理部２４の輪郭強調の画像処理が実施される。このため、集合写真撮影の際に、被写体となる各人物の電子カメラからの距離が大きく異なる場合でも、擬似的に被写体の全体に焦点が合った画像データを取得でき、第１実施形態と同様の効果が得られる。
（変形例）
第１および第２実施形態では、絞り・シャッタ機構１８の絞り値が大きく設定されると適正露出になるために必要な露光時間が長くなるという点が考慮されていない例について述べたが、本発明はかかる実施形態に限定されるものではない。例えば、露光時間の短縮を図るために、撮影動作の開始前に設定された絞り・シャッタ機構１８の絞り値が所定値より大きい場合、ＡＦＥ／ＴＧ２２がＣＣＤ２０から供給される画像データの信号を増幅するステップあるいは画像処理部２４がＡＦＥ／ＴＧ２２から供給される画像データの輝度を上げるステップの少なくともいずれかが実施されるようにしてもよい。
【００７３】
以上、本発明について詳細に説明してきたが、前述の実施形態およびその変形例は発明の一例に過ぎず、本発明はこれらに限定されるものではない。本発明を逸脱しない範囲で変形可能であることは明らかである。
【図面の簡単な説明】
【００７４】
【図１】本発明の第１実施形態を示すブロック図である。
【図２】第１実施形態の電子カメラの動作を示すフロー図である。
【図３】集合写真撮影の被写体の一例を示す説明図である。
【図４】被写界深度および焦点距離を概念的に示す説明図である。
【図５】本発明の第２実施形態を示すフロー図である。
【図６】本発明の第３実施形態を示すフロー図である。
【図７】本発明の第４実施形態を示すフロー図である。
【符号の説明】
【００７５】
１０…電子カメラ；１２…撮影レンズ部；１４…ズームレンズ；１６…フォーカスレンズ；１８…絞り・シャッタ機構；２０…ＣＣＤ；２２…ＡＦＥ／ＴＧ；２４…画像処理部；２６…ＣＰＵ；２８…操作部；３０…ＬＣＤ；３２…ＲＯＭ；３４…ＳＤＲＡＭ；３６…記録メディア；３８…バス
【図１】
2008076981.tif 000003
【図２】
2008076981.tif 000004
【図３】
2008076981.tif 000005
【図４】
2008076981.tif 000006
【図５】
2008076981.tif 000007
【図６】
2008076981.tif 000008
【図７】
2008076981.tif 000009